(57)【特許請求の範囲】
【請求項１】
天板と、天板を下方から支持するとともに内部に収納空間を有する収納庫と、この収納庫の背面に支持させてなる配線ダクトと、この配線ダクトのさらに後方に着脱可能に設けてなり天板下方の空間を外部から隠蔽し目隠し板取付ブラケットを介して幅方向両端部がそれぞれ前記収納庫に支持される目隠し板と、長手方向両端部に配してなるエンド脚とを具備することを特徴とする天板付き家具。
【請求項２】
前記天板の左右両側縁を下方からそれぞれ前記収納庫に支持させてなるとともに、前記配線ダクトを前記収納庫間に架設して設けている請求項１記載の天板付き家具。
【請求項３】
前記天板を複数幅方向に互いに隣接させて配し、幅方向両側端に位置する前記天板の外側端を所定の幅寸法を有する第１の収納庫に支持させているとともに、幅方向両側端に位置する天板の内側端及びその他の天板の両側端を前記第１の収納庫の幅寸法の２倍の幅寸法を有する第２の収納庫に支持させている請求項２記載の天板付き家具。
【請求項４】
前記配線ダクトを高さ方向に離間させて複数設けてなる請求項１、２又は３記載の天板付き家具。
【請求項５】
複数の系統の配線とともに用いられるものであって、前記配線ダクトごとにそれぞれ異なる系統の配線を支持させている請求項４記載の天板付き家具。
【請求項６】
パンチング加工を施した板を利用して前記目隠し板を形成している請求項１又は２記載の天板付き家具。
【請求項７】
前記天板の長手方向に延伸する両端縁がいずれも使用端縁である請求項１、２又は３記載の天板付き家具。
【請求項８】
前記目隠し板を、一方の使用端縁から奥行き方向に離間した位置に配している請求項７記載の天板付き家具。
【請求項９】
前記天板の使用端縁に軟質部材を利用して形成した軟質部を設けている請求項１、２、３、４、５、６、７又は８記載の天板付き家具。
【請求項１０】
前記軟質部を天板の他の部位と視認により区別可能にしている請求項９記載の天板付き家具。
【請求項１１】
前記天板の上方に上棚を着脱可能に設けている請求項１、２、３、４、５、６、７、８、９又は１０記載の天板付き家具。
【発明の詳細な説明】
【技術分野】
【０００１】
本発明は、内部に収納空間を有する収納庫に天板を下方から支持させてなる天板付き家具に関する。
【背景技術】
【０００２】
従来、天板付き家具の天板上に載せ置いたパソコン等を使用する便を図るべく、天板下方に配線ダクトを備えた天板付き家具が種々知られている。
【０００３】
一方、物品の収納スペースを確保するとともに天板上とこの収納スペースとの間で物品を出し入れしやすくすべく、収納庫に天板を支持させてなる天板付き家具も種々知られている（例えば、引用文献１記載のものを参照）。
【０００４】
ところで、このような配線ダクト及び収納庫を備えた天板付き家具において、従来のものは、天板下方の空間を外部から隠蔽する目隠し板の後方に配線ダクトを配置するようにしているが、このような構成では、後方に配線ダクトが露出し見栄えの点で問題があると感じられることがある。
【先行技術文献】
【特許文献】
【０００５】
【特許文献１】特開２００９−９０００２号公報
【発明の概要】
【発明が解決しようとする課題】
【０００６】
本発明は以上を踏まえ、背面側からの通常時の外観を整えつつ配線作業を行いやすくすることを目的とする。
【課題を解決するための手段】
【０００７】
すなわち本発明に係る天板付き家具は、天板と、天板を下方から支持するとともに内部に収納空間を有する収納庫と、この収納庫の背面に支持させてなる配線ダクトと、この配線ダクトのさらに後方に着脱可能に設けてなり天板下方の空間を外部から隠蔽し目隠し板取付ブラケットを介して幅方向両端部がそれぞれ前記収納庫に支持される目隠し板と、長手方向両端部に配してなるエンド脚とを具備することを特徴とする。
【０００８】
このようなものであれば、目隠し板により配線ダクトを背面側の外部空間から隠蔽しつつ、目隠し板を取り外すと配線ダクトが外部に露出するので、背面側からの通常時の外観を整えつつ配線作業を行いやすくすることができる。
【０００９】
このような天板付き家具を容易に実現できる態様として、前記天板の左右両側縁を下方からそれぞれ前記収納庫に支持させてなるとともに、前記配線ダクトを前記収納庫間に架設して設けているものが挙げられる。
【００１０】
特に、天板を複数設けるとともに、天板ごとに１人着座する態様においてより有効な構成として、前記天板を複数幅方向に連接させて配し、幅方向両側端に位置する天板の外側端を所定の幅寸法を有する第１の収納庫に支持させているとともに、幅方向両側端に位置する天板の内側端及びその他の天板の両側端を前記第１の収納庫の幅寸法の２倍の幅寸法を有する第２の収納庫に支持させているものが挙げられる。
【００１１】
複数の系統の配線を必要とするオフィスに好適に用いられる態様として、前記配線ダクトを複数有するものが挙げられる。
【００１２】
特に、前記配線ダクトごとにそれぞれ異なる系統の配線を支持させているものであれば、特定の系統の通信回線に異常があった際等に、該通信回線に接続するための配線を特定し該配線の点検を行うことを容易に行うことができる。
【００１３】
天板下方の空間において外部との換気を好適に行えるようにするための構成として、パンチング加工を施した板を利用して前記目隠し板を形成しているものが挙げられる。
【００１４】
また、前記天板の長手方向に延伸する両端縁がいずれも使用端縁であれば、このような天板付き家具をカウンターとして使用することができる。
【００１５】
特に、前記目隠し板を、背面側の使用端縁から奥行き方向に離間した位置に配しているものであれば、背面側の使用端縁を使用する際に、天板の下方かつこの目隠し板の背面側の空間に着座者の脚や荷物等を配することができる。
【００１６】
このような天板付き家具の近傍を移動する者が天板の端縁の存在に気付かずに該端縁に急に衝突することに伴う不具合の発生を抑制するための構成として、前記天板の使用端縁に軟質部材を利用して形成した軟質部を設けているものが挙げられる。
【００１７】
特に、前記軟質部を天板の他の部位と視認により区別可能にしているものであれば、このような天板の端縁の存在をより有効にこのような天板付き家具の近傍を移動する者に認識させることができる。
【００１８】
より多様な使用態様に対応できる構成として、前記天板の上方に上棚を着脱可能に設けているものが挙げられる。
【発明の効果】
【００１９】
本発明の構成によれば、天板付き家具の背面側からの通常時の外観を整えつつ配線作業を行いやすくすることができる。
【図面の簡単な説明】
【００２０】
【図１】本発明の一実施形態に係る天板付き家具を示す正面側全体斜視図。
【図２】同実施形態に係る天板付き家具を示す背面側全体斜視図。
【図３】同実施形態に係る天板付き家具を示す正面図。
【図４】図３におけるＸ−Ｘ断面図。
【図５】図４における要部を拡大して示す図。
【図６】本発明の他の実施形態に係る天板付き家具の要部を示す斜視図。
【図７】本発明の他の実施形態に係る天板付き家具の要部を示す斜視図。
【発明を実施するための形態】
【００２１】
以下、本発明の一実施形態を図１〜図５を参照して説明する。
【００２２】
本実施形態に係る天板付き家具は、市区役所や町村役場等に代表されるオフィス等で好適に使用され、図１〜図３に示すように、幅方向に互いに隣接する複数枚、具体的には２枚の天板１と、この天板１を下方から支持するとともに内部に収納空間２ｓ、３ｓをそれぞれ有する第１の収納庫２及び第２の収納庫３と、前記第１の収納庫２及び第２の収納庫３の背面に支持させてなる配線ダクト４と、この配線ダクト４のさらに後方に着脱可能に設けてなり天板１下方の空間を外部から隠蔽する上下の目隠し板５ａ、５ｂと、左右両端部に配してなるエンド脚６とを具備する。また、この天板付き家具には、天板１の上方に上棚７を着脱可能に設けることができる。
【００２３】
前記天板１は、図１〜図４に示すように、略矩形状をなし、幅方向に延びる両端縁すなわち前後両端縁を、それぞれ第１の使用端縁１ａ及び第２の使用端縁１ｂとしている。第１の使用端縁１ａ側には、天板１に載せ置いた情報機器等の操作を行う者等、この天板付き家具が配されるオフィスで作業を行う者が着座するようにしている。一方、第２の使用端縁１ｂ側には、各種申し込み等を行うべくこのオフィスを訪問した客等の者が着座するようにしている。この天板１の第１及び第２の使用端縁１ａ、１ｂには、図４に示すように、合成ゴムに代表される軟質部材を利用して形成した軟質部１１を設けている。この軟質部１１の端縁は、天板１の他の部位と視認により区別可能にしている。具体的には、この軟質部１１の縁部を、軟質部１１の他の部分と異なる色に着色している。さらに、この天板１の奥行き方向中間部の左右両端及び中央部には、この天板１の上方と下方とを連通する配線挿通孔１ｘを設けている。この配線挿通孔１ｘには、図６に示すようなディスプレイモニタを支持するためのディスプレイアーム９１等のオプション部材を取り付け可能である。また、この配線挿通孔１ｘは、図６に示すような蓋体１３により閉塞可能である。そして、図示はしないが、この天板１の下面側の両側端縁には、前記収納庫を取り付けるための鬼目ナットを埋設している。
【００２４】
前記第１の収納庫２は、図１〜図３に示すように、幅方向両端部に配され、左側の天板１の左端部、又は右側の天板１の右端部を下方から支持する。また、前記第１の収納庫２は、底板２２と、この底板２２の左右両側縁から起立する左右の側板２３と、左右の側板２３の上端部間を接続する頂板２４と、この第１の収納庫２の背面を形成する背板２５とを備え、これら底板２２、左右の側板２３、頂板２４及び背板２５により区画される収納空間２ｓ内に物品を収納可能にしている。この第１の収納庫２の上方には、以下のようにして天板１を取り付けるようにしている。すなわち、図示はしないが、第１の収納庫２の頂板２４の隅部にネジ挿通孔を設けていて、下方からこのネジ挿通孔を通過させた雄ネジ部材を前記天板１に埋設した鬼目ナットに螺着することにより、この第１の収納庫２に天板１を取り付けるようにしている。この第１の収納庫２の下面には、アジャスタ２１を設けている。また、この第１の収納庫２の内部には、上述したように収納空間を備えている。この収納空間２ｓは、その内部に１又は複数の小型の引き出し２６又は大型の引き出し２６を高さ位置を変更可能かつ着脱可能に設けることが可能である。また、この収納空間２ｓには、図示しない１又は複数の棚板も高さ位置を変更可能かつ着脱可能に設けることが可能であり、この棚板上又は底板２２上にチューブファイル等のファイル類を載せ置くことによりファイル類を収納可能である。そして、収納する対象の種々の書類やファイル等に対応させて底板２２、頂板２４及び前記棚板により区画される空間の高さ寸法を設定することができる。
【００２５】
前記第２の収納庫３は、図１〜図３に示すように、幅方向中間部に配され、左側の天板１の右端部、及び右側の天板１の左端部を下方から支持する。また、前記第２の収納庫２は、底板３２と、この底板３２の左右両側縁から起立する左右の側板３３と、左右の側板３３の上端部間を接続する頂板３４と、この第１の収納庫２の背面を形成する背板３５とを備え、これら底板３２、左右の側板３３、頂板３４及び背板３５により区画される収納空間３ｓ内に物品を収納可能にしている。この収納空間３ｓは、図３に示すように、幅方向中央に設けた隔壁３８により、左右に分割することが可能である。この隔壁３８により分割された収納空間３ｓは、左右それぞれの部分が第１の収納庫２内部の収納空間２ｓと同じ容積を有する。また、この第２の収納庫３の左右両側にも、上述した第１の収納庫２への天板１の取付態様と同じ態様で天板１を取り付けるようにしている。この第２の収納庫３は、前記第１の収納庫２と奥行き寸法及び高さ寸法が等しく、前記第１の収納庫２の幅寸法ｄ１の２倍の幅寸法ｄ２を有する。この第２の収納庫３の内部にも、上述したように収納空間３ｓを備えている。この収納空間３ｓも、前段で述べた第１の収納庫２と同様に、また、図３に示すように、その内部に複数の小型の引き出し３５又は大型の引き出し３６を高さ位置を変更可能かつ着脱可能に設けている。また、さらに、この収納空間３ｓには、図１に示すように棚板３９も高さ位置を変更可能かつ着脱可能に配置可能であり、この棚板３９上又は底板３２上にチューブファイル等のファイル類を載せ置いくことによりファイル類を収納可能である。そして、収納する対象の種々の書類やファイル等に対応させて底板３２、頂板３４及び棚板３９により区画される空間の高さ寸法を設定することができる。
【００２６】
これら第１の収納庫２及び第２の収納庫３の内側面には、パソコンを保持するＰＣハンガー等のオプション部材を取り付け可能である。
【００２７】
前記配線ダクト４は、図５に示すようなダクト取付爪４ａを前記第１の収納庫２又は第２の収納庫３に設けた図示しないダクト取付孔に係り合わせることにより前記第１の収納庫２の背面と第２の収納庫３の背面とに架設させてなり、幅方向に延びるチャネル状の部材である。本実施形態では、この配線ダクト４は、図２〜図４に示すように、高さ方向に離間して複数、より具体的には天板１ごとに３個設けている。これら複数の配線ダクト４には、配線ダクト４ごとにそれぞれ異なる系統の配線を支持させるようにしている。すなわち、１つの配線ダクト４には公衆通信回線の通信ケーブル、他の一つの配線ダクト４には住基ネット等の専用通信回線の通信ケーブル、そしてさらに他の一つの配線ダクト４には電源ケーブルを支持させるようにしている。
【００２８】
前記目隠し板５ａ、５ｂは、本実施形態では、図２及び図４に示すように、上部及び下部に計２枚設けている。この目隠し板５ａ、５ｂは、目隠し板取付ブラケット５１ａ、５１ｂを介して前記第１の収納庫２及び第２の収納庫３に支持させている。この目隠し板取付ブラケット５１ａ、５１ｂは、ブラケット取付爪５１ａ１、５１ｂ１を前記第１の収納庫２又は第２の収納庫３に設けた図示しないブラケット取付孔に係り合わせることにより前記第１の収納庫２及び第２の収納庫３に取り付けられ、目隠し板５ａ、５ｂを前記配線ダクト４よりも後方に位置させるためのスペーサとしての機能を有する。また、前記目隠し板５ａ、５ｂは、パンチング加工を施してなる金属板を２枚重ね合わせて形成している。この目隠し板５ａ、５ｂは、天板１の第２の使用端縁１ｂから前方に離間した位置に配している。すなわち、この目隠し板５ａ、５ｂの後方かつ天板１下方の空間に、第２の使用端縁１ｂ側に着座した者の脚や荷物等を配することができるようにしている。
【００２９】
前記エンド脚６は、図１〜図３に示すように、前記第１の収納庫２の外側面に添接させて設けている。このエンド脚６の下面には、アジャスタ６１を設けている。また、このエンド脚６の後部と天板１の後部との間は、天板１の後部をこのエンド脚６に支持させるべく、天板支持ブラケット６２を介して接続している。
【００３０】
前記上棚７は、図１〜図４に示すように、棚天板７１と、この棚天板７１を支持する左右の棚エンド脚７２と、これら左右の棚エンド脚７２の後端部間に架設させてなるパネル要素７３とを具備する。この上棚７は、前記天板１の配線挿通口１ｘ内に配した図示しない上棚取付ブラケットを介して天板１の上方に着脱可能に取り付けられる。この天板付き家具を客等が起立した状態で第２の使用端縁１ｂを使用するハイカウンターとして使用する際には、この上棚７を天板１の上方に取り付けた状態とするようにしている。一方、客等が座った状態で第２の使用端縁１ｂを使用するローカウンターとしてこの天板付き家具を使用する際には、この上棚７を取り外した状態とするようにしている。
【００３１】
ここで、配線の点検の際には、目隠し板５ａ、５ｂを取り外すと、図２に示すように配線ダクト４が後方空間に開放される。そして、特定の系統の配線に不具合が発生した場合には、後方側から対応する配線ダクト４内の配線にアクセスし、該配線に対する点検等を行うようにしている。
【００３２】
以上に述べたように、本実施形態に係る天板付き家具の構成によれば、配線ダクト４を第１の収納庫２及び第２の収納庫３の背面に架設し、そのさらに後方に目隠し板５ａ、５ｂを着脱可能に設けているので、この目隠し板５ａ、５ｂにより配線ダクト４を背面側の外部空間から隠蔽しつつ、目隠し板５ａ、５ｂを取り外すと配線ダクト４が外部に露出するので、背面側からの通常時の外観を整えつつ配線作業を行いやすくすることができる。
【００３３】
前記天板１の左右両側縁を下方からそれぞれ第１の収納庫２及び第２の収納庫３に支持させてなるとともに、前記配線ダクト４を前記第１の収納庫２及び第２の収納庫３間に架設して設けているので、このような天板付き家具を簡単な構成により実現できる。
【００３４】
前記天板１を幅方向に隣接させて２枚配し、両天板１の外側端を所定の幅寸法ｄ１を有する第１の収納庫２に支持させているとともに、両天板１の内側端を前記第１の収納庫２の幅寸法ｄ１の２倍の幅寸法ｄ２を有する第２の収納庫３に支持させているので、天板１ごとに１人着座する態様において、各着座者が左右両側に同じ大きさの収納スペースを使用することができる。
【００３５】
前記配線ダクト４を複数有し、前記配線ダクト４ごとにそれぞれ異なる系統の配線を支持させているので、複数の系統の通信回線に接続する必要があるオフィスおいて、特定の系統の通信回線に異常があった際等に、該通信回線に接続するための配線を特定し該配線の点検を行うことを容易にできる。
【００３６】
パンチング加工を施した板を利用して前記目隠し板５ａ、５ｂを形成しているので、天板１下方の空間において外部との換気を好適に行うことができる。
【００３７】
前記天板１の前端縁が第１の使用端縁であるとともに該天板１の後端縁が第２の使用端縁１ｂであり、前記目隠し板５ａ、５ｂを、第２の使用端縁１ｂから奥行き方向に離間した位置に配しているので、客等の第２の使用端縁１ｂを使用する者が、天板１の下方かつこの目隠し板５ａ、５ｂの背面側の空間に脚や荷物等を配することができる。
【００３８】
前記天板１の使用端縁に軟質部材を利用して形成した軟質部１１を設けているので、このような天板付き家具の近傍を移動する者が天板１の端縁の存在に気付かずに該端縁に急に衝突することに伴う不具合の発生を抑制することができる。さらに、前記軟質部１１の端縁を着色し、天板１の他の部位と視認により区別可能にしているので、このような天板１の端縁の存在をより有効にこのような天板付き家具の近傍を移動する者に認識させることができる。
【００３９】
前記天板１の上方に上棚７を着脱可能に設けているので、上述したように、この上棚７を装着した状態では客等が起立した状態で第２の使用端縁１ｂを使用するハイカウンターとして、また、この上棚７を取り外した状態では客等が座った状態で第２の使用端縁１ｂを使用するローカウンターとしてこの天板付き家具を使用できる。
【００４０】
なお、本発明は以上に述べた実施形態に限らない。
【００４１】
例えば、天板の一端縁を収納庫に支持させ、他端縁を板状の脚や、前後に延びる脚ベースとこの脚ベースから起立し天板を下方から支持する脚支柱とを有する脚等に支持させる態様を採用してもよい。この場合、配線ダクトの脚側の端縁は、脚に設けたダクト支持部材等に支持させるようにするとよい。
【００４２】
また、各収納庫の幅寸法は任意に設定してよい。例えば、各収納庫の幅寸法を全て等しく設定する態様を採用してもよい。
【００４３】
さらに、上述した実施形態では、複数の系統の通信回線に接続する必要があるオフィスに好適に使用できるようにすべく、配線ダクトを高さ方向に離間させて複数設けているが、複数の系統の通信回線に接続する必要がない、すなわち単一系統の通信回線のみに接続すれば足りるオフィスにおいては、配線ダクトを１つだけ設ける態様のものを採用してもよい。
【００４４】
また、複数の系統の配線とともに用いられるものであって、配線ダクトを複数設ける場合であっても、配線ダクトごとにそれぞれ異なる系統の配線を支持させる態様だけでなく、例えば、接続先の電気器具を載せ置くべき天板ごとに配線ダクトを１対１対応させる態様等を採用してもよい。
【００４５】
加えて、上述した実施形態では、天板下方の空間と外部空間との間の換気を好適に行うようにすべく、パンチング加工を施した板を利用して前記目隠し板を形成しているが、気密性の保持等の理由により、天板下方の空間を外部空間から完全に隠蔽する必要がある場合には、前後両側を連通する孔を有しない目隠し板を採用してもよい。
【００４６】
また、上述した実施形態では、天板の長手方向に延伸する両端縁がいずれも使用端縁であり、カウンターとして使用するようにしているが、天板の長手方向に延伸する両端縁のうち一方のみを使用端縁とする机等の天板付き家具に本発明を適用してもよい。
【００４７】
さらに、上述した実施形態では、目隠し板を第２の使用端縁から奥行き方向に離間した位置に配しているが、オフィスのレイアウト等の都合により、目隠し板を第２の使用端縁の直下に配する態様を採用してもかまわない。
【００４８】
加えて、上述した実施形態では、天板の使用端縁に軟質部材を利用して形成した軟質部を設けているが、天板の長手方向に延伸する両端縁のうち一方のみを使用端縁とする態様を採用した場合等、天板の背面側を移動する者の存在を想定する必要がない場合には、軟質部は必ずしも設ける必要はない。また、上述した実施形態では、前記軟質部の端縁を着色し天板の他の部位と視認により区別可能にしているが、他の方法により天板の存在を意識させるようにしてもよい。
【００４９】
また、上述した実施形態では、前記天板の上方に上棚を着脱可能に設けているが、上棚を着脱不能に固定したハイカウンターと、上棚を設けないローカウンターとを別々に用意してもよく、また、これらハイカウンター及びローカウンターの一方のみを配するようにしてもよい。
【００５０】
さらに、図７に示すように、天板１の下方にセンター引き出し９２を取り付けるようにしてもよい。
【００５１】
そして、天板は１枚のみ設けてもよく、３枚以上設けてもよい。特に、天板を複数設ける場合、天板の後部を支持させるために第２の収納庫の後方に接続する天板後部支持脚を設けるとよい。
【００５２】
加えて、矩形状をなす天板を互いに幅方向に隣接させるだけでなく、互いに隣接する矩形状をなす天板の使用端縁が４５°や９０°等の角度をなすように接続すべく、互いに隣接する矩形状の天板間に、円弧状の使用端縁を有するとともにその両側端縁をそれぞれ矩形状の天板の側端縁に対向させてなり、さらにその両側端縁をそれぞれ下方から収納庫に支持させてなるコーナー天板を設けてもよい。
【００５３】
その他、本発明の趣旨を損ねない範囲で種々に変更してよい。
【符号の説明】
【００５４】
１…天板
２…第１の収納庫
３…第２の収納庫
４…配線ダクト
５ａ、５ｂ…目隠し板
【図１】
0005753969.tif 000002
【図２】
0005753969.tif 000003
【図３】
0005753969.tif 000004
【図４】
0005753969.tif 000005
【図５】
0005753969.tif 000006
【図６】
0005753969.tif 000007
【図７】
0005753969.tif 000008